(57)【要約】【課題】診断効率を向上する。【解決手段】第１透過度設定部３２４ａによって設定された透過度に対応するように、第１のスライス画像Ｓ１を透過させて表示させると共に、第２透過度設定部３２４ｂによって設定された透過度に対応するように、第２のスライス画像Ｓ２を透過させて表示する。また、重畳位置設定部３２４ｃによって設定された位置に対応するように、第１のスライス画像Ｓ１と第２のスライス画像Ｓ２とを重ね合わせて表示する。たとえば、被検体の患部について過去に生成された第１のスライス画像Ｓ１と、その被検体の患部について新たに生成された第２のスライス画像Ｓ２とを、互いに重ねて透過表示する。【選択図】図３
2011104452.tif 000002
【特許請求の範囲】
【請求項１】
被検体についての第１画像と被検体についての第２画像とを重ね合わせて表示画面に表示する表示部を有する画像診断装置であって、
前記表示部において前記第１画像を透過させて表示させる際の透過度の設定値が、オペレータによって入力される第１透過度入力部と、
前記表示部において前記第２画像を透過させて表示させる際の透過度の設定値が、オペレータによって入力される第２透過度入力部と、
前記第１透過度入力部に入力された前記透過度の設定値に対応するように、前記表示部において前記第１画像を透過させて表示させる際の透過度を設定する第１透過度設定部と、
前記第２透過度入力部に入力された前記透過度の設定値に対応するように、前記表示部において前記第２画像を透過させて表示させる際の透過度を設定する第２透過度設定部とを含み、
前記表示部は、前記第１透過度設定部によって設定された透過度に対応するように、前記第１画像を透過させて表示させると共に、前記第２透過度設定部によって設定された透過度に対応するように、前記第２画像を透過させて表示する
画像診断装置。
【請求項２】
前記表示部において前記第１画像と前記第２画像とを重ね合わせる位置を設定する重畳位置設定部を有し、
前記表示部は、前記重畳位置設定部によって設定された位置に対応するように、前記第１画像と前記第２画像とを重ね合わせて表示する
請求項１に記載の画像診断装置。
【請求項３】
前記表示部において前記第１画像と前記第２画像とを重ね合わせる位置の設定値がオペレータによって入力される重畳位置入力部を含み、
前記重畳位置設定部は、前記重畳位置入力部に入力された前記位置の設定値に対応するように、前記表示部において前記第１画像と前記第２画像とを重ね合わせる位置を設定する
請求項２に記載の画像診断装置。
【請求項４】
前記被検体についてのスキャンを実施することによりローデータを得るスキャン部と、
前記スキャン部によって得られた前記ローデータに基づいて、前記被検体についてのスライス画像を生成するスライス画像生成部とを有し、
前記表示部は、前記スライス画像生成部により生成されたスライス画像を、前記第１画像と前記第２画像との少なくとも一方として表示する
請求項１から３のいずれかに記載の画像診断装置。
【請求項５】
前記スキャン部は、前記被検体についてのスキャンを第１の時間に実施することによって第１のローデータを取得すると共に、前記被検体についてのスキャンを前記第１の時間と異なる第２の時間に実施することにより第２のローデータを取得し、
前記スライス画像生成部は、前記第１のローデータに基づいて、前記被検体についての第１のスライス画像を生成すると共に、前記第２のローデータに基づいて、前記被検体についての第２のスライス画像を生成し、
前記表示部は、前記第１のスライス画像を前記第１画像として表示すると共に、前記第２のスライス画像を前記第２画像として表示する
請求項４に記載の画像診断装置。
【請求項６】
前記スキャン部は、前記被検体として第１の被検体についてのスキャンを実施することによって第３のローデータを取得すると共に、前記被検体として前記第１の被検体と異なる第２の被検体についてのスキャンを実施することにより第４のローデータを取得し、
前記スライス画像生成部は、前記第３のローデータに基づいて、前記第１の被検体についての第３のスライス画像を生成すると共に、前記第４のローデータに基づいて、前記第２の被検体についての第４のスライス画像を生成し、
前記表示部は、前記第３のスライス画像を前記第１画像として表示すると共に、前記第４のスライス画像を前記第２画像として表示する
請求項４または５に記載の画像診断装置。
【請求項７】
前記スキャン部は、前記被検体へ超音波を送信し、前記超音波が送信された前記被検体から反射される超音波を受信するスキャンを実施することによって得られるエコー信号を前記ローデータとして取得する
請求項４から６のいずれかに記載の画像診断装置。
【請求項８】
前記スキャン部は、前記被検体へ放射線を照射し、前記被検体を透過した前記放射線を検出するスキャンを実施することによって得られる投影データを前記ローデータとして取得する
請求項４から６のいずれかに記載の画像診断装置。
【請求項９】
前記スキャン部は、静磁場空間において前記被検体にＲＦパルスを送信し、前記被検体において発生する磁気共鳴信号を、前記ローデータとして取得する
請求項４から６のいずれかに記載の画像診断装置。
【請求項１０】
オペレータによって前記被検体の特性に関する特性情報が入力される被検体特性情報入力部と、
前記被検体特性情報入力部に入力された前記特性情報に基づいて、前記被検体の特性を示す被検体特性画像を生成する被検体特性画像生成部とを有し、
前記表示部は、前記被検体特性画像生成部によって生成された前記被検体特性画像を、前記第１画像と前記第２画像との少なくとも一方として表示する
請求項１から９のいずれかに記載の画像診断装置。
【請求項１１】
前記表示部は、前記第１画像と前記第２画像とを、互いが異なる色彩になるように変換した後に表示する
請求項１から１０のいずれかに記載の画像診断装置。
【発明の詳細な説明】
【技術分野】
【０００１】
本発明は、画像診断装置に関し、特に、被検体についての画像を複数表示する画像診断装置に関する。
【背景技術】
【０００２】
超音波診断装置などの画像診断装置において画像診断が実施される際には、表示画面に被検体についての画像が表示される。
【０００３】
たとえば、画像診断装置は、被検体のスライス面についてのスライス画像を、表示部の表示画面に表示する。また、たとえば、名前、性別、診断レポートなどの被検体の特性を示す被検体特性画像を、表示画面に表示する。
【０００４】
具体的には、画像診断装置において、超音波診断装置は、被検体へ超音波を送信し、その超音波が送信された被検体から反射される超音波を受信するスキャンを実施することによって得られたエコー信号に基づいて、たとえば、被検体のスライス面についてのスライス画像を生成し、表示画面に表示する。そして、そのスキャンが実施された被検体の特性を示す被検体特性画像を、オペレータによって操作装置に入力された特性情報に基づいて生成し、表示画面に表示する。超音波診断装置は、リアルタイムに被検体のスライスについて撮影することが容易であるため、特に、胎児検診や心臓検診などの医療分野において多く利用されている。
【０００５】
この超音波診断装置においては、Ｂモード（Ｂｒｉｇｈｔｎｅｓｓ ｍｏｄｅ），Ｍモード（Ｍｏｔｉｏｎ ｍｏｄｅ），ドプラモード（Ｄｏｐｐｌｅｒ ｍｏｄｅ）などの様々な表示モードがある。Ｂモードは、被検体において反射された超音波エコーの強度の変化を輝度の変化に変換した画像を表示するモードであり、たとえば、被検体のスライスについてのスライス画像をイメージングする際に用いられる。Ｍモードは、時系列順に順次表示される複数のＢモード画像において、超音波エコーの１音線に対応する部分の輝度を時系列で表示するモードであり、たとえば、被検体において心臓の弁など動きのある臓器の動きをイメージングする際に用いられる。また、ドプラモードは、移動体により反射された超音波エコーの周波数が、その移動体の移動速度に比例して偏移するドプラ効果を利用するモードであり、たとえば、被検体において流れる血液の移動速度などの血流情報をイメージングする際に用いられる（たとえば、特許文献１参照）。
【先行技術文献】
【特許文献】
【０００６】
【特許文献１】特開２００２−１１２２５４号公報
【発明の概要】
【発明が解決しようとする課題】
【０００７】
上記の超音波診断装置のような画像診断装置において、被検体についての複数の画像を比較する場合においては、その複数の画像を表示画面に表示する。ここでは、その複数の画像を表示画面の各表示エリアに並べて表示している。
【０００８】
たとえば、被検体の患部について過去に撮像されたスライス画像と、その被検体の患部について新たに撮像されたスライス画像とのそれぞれを、表示画面に並列に並べて表示する。これによって、その被検体の患部についての時間変化が把握することができる。また、たとえば、被検体において患部に対応する撮影領域について撮像されたスライス画像と、その被検体と異なる被検体において、その患部に対応する撮影領域について撮像されたスライス画像とのそれぞれを、表示画面に並列に並べて表示する。これによって、その患部についての状態を把握することができる。
【０００９】
しかしながら、複数の画像を比較する場合においては、上記のように複数の画像を表示画面に並べて表示するために、それぞれの画像において比較する部分が表示画面で離隔されて表示される。
【００１０】
このため、その比較する部分を把握することが困難な場合があり、診断を迅速に行うことが容易ではなかった。よって、高い診断効率を実現することが困難な場合があった。この課題が解決されることが望まれる。
【課題を解決するための手段】
【００１１】
上記課題を解決する発明である画像診断装置は、被検体についての第１画像に、被検体についての第２画像を重畳させて表示画面に表示する表示部を有する画像診断装置であって、前記表示部において前記第１画像を透過させて表示させる際の透過度を設定する第１透過度設定部と、前記表示部において前記第２画像を透過させて表示させる際の透過度を設定する第２透過度設定部とを含み、前記表示部は、前記第１透過度設定部によって設定された透過度に対応するように、前記第１画像を透過させて表示させると共に、前記第２透過度設定部によって設定された透過度に対応するように、前記第２画像を透過させて表示する。
【発明の効果】
【００１２】
上記課題を解決する発明である画像診断装置によれば、画像診断装置の操作者の状態に応じて画像の表示画面を見やすい位置に動かすことが可能になる。
【図面の簡単な説明】
【００１３】
【図１】図１は、課題を解決する発明の実施形態において、超音波診断装置１の構成を示すブロック図である。
【図２】図２は、課題を解決する発明の実施形態１において、超音波診断装置１の動作を示すフロー図である。
【図３】図３は、課題を解決する発明の実施形態１において、超音波診断装置１の動作の様子を示す図である。
【図４】図４は、課題を解決する発明の実施形態２において、超音波診断装置１の動作を示すフロー図である。
【図５】図５は、課題を解決する発明の実施形態２において、超音波診断装置１の動作の様子を示す図である。
【図６】図６は、課題を解決する発明の実施形態３において、超音波診断装置１ａの構成を示すブロック図である。
【図７】図７は、課題を解決する発明の実施形態３において、表示部４１が表示する画像を示す図である。
【発明を実施するための形態】
【００１４】
以下、課題を解決する発明の実施形態について説明する。
【００１５】
＜実施形態１＞
課題を解決する発明の実施形態１について、図面を用いて説明する。
【００１６】
図１は、課題を解決する発明の実施形態１において、超音波診断装置１の構成を示すブロック図である。
【００１７】
図１に示すように、本実施形態の超音波診断装置１は、超音波プローブ３１と、操作コンソール３２と、表示部４１とを有する。
【００１８】
本実施形態の超音波診断装置１は、被検体へ超音波を送信し、その超音波が送信された被検体から反射される超音波を受信するスキャンを実施することによって得られたエコー信号に基づいて、被検体についてのスライス画像を生成し、表示する。ここでは、被検体についての複数のスライス画像を互いに重畳させて表示画面に表示する。
【００１９】
具体的には、被検体の患部についての過去のスライス画像である第１のスライス画像に、その被検体の同じ患部についての新たなスライス画像である第２のスライス画像を重畳して表示画面に表示する。
【００２０】
各部について、順次、説明する。
【００２１】
超音波プローブ３１は、複数の超音波振動子（図示なし）を含み、たとえば、その超音波振動子がマトリクス状に均等に配列されている。超音波プローブ３１において超音波振動子は、たとえば、ＰＺＴ（チタン酸ジルコン酸鉛）セラミックスなどの圧電材料を含むように構成されており、電気信号を音波に変換して送信すると共に、受信した音波を電気信号に変換する。超音波プローブ３１は、被検体についてのスキャンを実施することによりローデータを得る。詳細については後述するが、超音波プローブ３１は、超音波振動子が設けられた面が被検体の表面に当接されて使用される。そして、超音波プローブ３１は、操作コンソール３２において制御部３２４が出力した制御信号に基づく送受信部３２からの駆動信号に対応するように、超音波振動子から超音波を被検体内に送信し、その超音波が送信された被検体内から反射される超音波を超音波振動子で受信するスキャンを実施することによって、エコー信号を得る。そして、そのエコー信号をローデータとして送受信部３２１へ出力する。
【００２２】
本実施形態においては、超音波プローブ３１は、被検体についてのスキャンを第１の時間に実施することによって第１のエコー信号を取得すると共に、その被検体についてのスキャンを第１の時間と異なる第２の時間に実施することにより第２のエコー信号を取得する。たとえば、過去に被検体の患部についてスキャンを実施して第１のエコー信号を取得した後に、新たに、その被検体において同じ患部についてのスキャンを実施することにより第２のエコー信号を取得する。
【００２３】
操作コンソール３２は、図１に示すように、送受信部３２１と、スライス画像生成部３２２と、記憶部３２３と、制御部３２４と、操作部３２５とを有する。操作コンソール３２は、各部がデータ処理装置を含み、各種データの処理を実施する。
【００２４】
送受信部３２１は、超音波プローブ３１に超音波を送受信させる送受信回路を含み、制御部３２４からの制御信号に基づいて、超音波プローブ３１の超音波振動子から被検体へ超音波を送信させ、その被検体から反射される超音波を超音波振動子で受信させてエコー信号を得る。たとえば、送受信部３２１は、電子コンベックス走査方式で被検体についてのスキャンを実施してエコー信号を取得し、その取得したエコー信号をスライス画像生成部３２２に出力する。具体的には、送受信部３２１は、被検体に対して超音波ビームを移動させてスキャンするように、超音波プローブ３１の複数の超音波振動子の位置を切り替えて駆動することによって、エコー信号を取得し、そのエコー信号に増幅、遅延、加算などの処理を実施してスライス画像生成部３２２に出力する。
【００２５】
スライス画像生成部３２２は、超音波プローブ３１により得られたエコー信号に基づいて、被検体のスライス面についてのスライス画像を生成する。スライス画像生成部３２２は、対数増幅器、包絡線検波器を含み、送受信部３２１が出力するエコー信号を対数増幅した後に包絡線を検波する。その後、そのデータに対して所定のデータ処理を施すことによって、音線上のそれぞれの反射点からのエコーの強度を算出した後に、その強度を輝度値に変換して、Ｂモードに対応したスライス画像を生成する。そして、スライス画像生成部３２２は、記憶部３２３に接続されており、前述のようにして生成したスライス画像を記憶部３２３に出力する。
【００２６】
本実施形態においては、スライス画像生成部３２２は、上述したように被検体についてのスキャンを超音波プローブ３１が第１の時間に実施することによって取得した第１のエコー信号に基づいて、その被検体についての第１のスライス画像を生成する。また、その被検体についてのスキャンを第１の時間と異なる第２の時間に超音波プローブ３１が実施することにより取得した第２のエコー信号に基づいて、第２のスライス画像を生成する。たとえば、スライス画像生成部３２２は、過去に被検体の患部について実施されたスキャンによって得られた第１のエコー信号に基づいて、その患部についての過去のスライス画像を、第１のスライス画像として生成する。また、その被検体の同じ患部について新たに実施されたスキャンによって得られた第２のエコー信号に基づいて、その患部についての新たなスライス画像を、第２のスライス画像として生成する。
【００２７】
記憶部３２３は、たとえば、シネメモリとＨＤＤとを含むように構成されており、スライス画像生成部３２２により生成されたスライス画像のデータを記憶する。記憶部３２３は、スライス画像生成部３２２と接続されており、制御部３２４からの指令に基づいて、スライス画像生成部３２２によって生成された複数フレームのスライス画像をシネメモリで一時的に記憶した後、ＨＤＤに出力して記憶する。たとえば、記憶部３２３は、シネメモリに２分間分のフレームのスライス画像を記憶し、その２分間分のフレームのスライス画像をＨＤＤに出力して記憶する。その他に、画像合成部３２８によって生成された合成画像をＨＤＤで記憶する。また、記憶部３２３のシネメモリは、表示部４１に接続されており、シネメモリが記憶した各フレームのスライス画像のデータが表示部４１に出力される。そして、記憶部３２３のＨＤＤも同様に、表示部４１に接続されており、オペレータによって操作部３２５に入力される指令に基づいて、ＨＤＤが記憶した各フレームのスライス画像のデータが表示部４１に出力される。また、画像合成部３２８によって生成された合成画像がＨＤＤから表示部４１へ出力され表示される。
【００２８】
制御部３２４は、たとえば、コンピュータと、そのコンピュータに所定のデータ処理を実行させるプログラムとを含み、各部にそれぞれ接続されている。制御部３２４は、操作部３２５からの操作信号に基づいて、各部にそれぞれに制御信号を与え、動作を制御する。
【００２９】
本実施形態においては、制御部３２４は、図１に示すように、第１透過度設定部３２４ａと、第２透過度設定部３２４ｂと、重畳位置設定部３２４ｃとを有する。
【００３０】
第１透過度設定部３２４ａは、表示部４１において第１のスライス画像を透過させて表示させる際の透過度を設定する。本実施形態においては、第１透過度設定部３２４ａは、後述する操作部３２５の第１透過度入力部３２５ａに入力された透過度の設定値に対応するように、その表示部４１において第１のスライス画像を透過させて表示させる際の透過度を設定する。具体的には、第１透過度設定部３２４ａは、操作部３２５の第１透過度入力部３２５ａに透過度の設定値として５０％が入力された場合には、表示部４１が５０％の透過度で第１のスライス画像を透過させて表示させるように、その透過度を設定する。
【００３１】
第２透過度設定部３２４ｂは、表示部４１において第２のスライス画像を透過させて表示させる際の透過度を設定する。本実施形態においては、第２透過度設定部３２４ｂは、後述する操作部３２５の第２透過度入力部３２５ｂに入力された透過度の設定値に対応するように、表示部４１において第２のスライス画像を透過させて表示させる際の透過度を設定する。具体的には、第２透過度設定部３２４ｂは、操作部３２５の第２透過度入力部３２５ｂに透過度の設定値として５０％が入力された場合には、表示部４１が５０％の透過度で第２のスライス画像を透過させて表示させるように、その透過度を設定する。
【００３２】
重畳位置設定部３２４ｃは、表示部４１において第２のスライス画像を第１のスライス画像に重畳させる位置を設定する。本実施形態においては、重畳位置設定部３２４ｃは、後述する操作部３２５の重畳位置入力部３２５ｃに入力された位置の設定値に対応するように、表示部４１において第２のスライス画像を第１のスライス画像に重畳させる位置を設定する。具体的には、重畳位置設定部３２４ｃは、後述する操作部３２５の重畳位置入力部３２５ｃにおいて、第２のスライス画像の中心が第１のスライス画像の中心に対して所定距離を隔てるように、その重畳させる位置の設定値が入力された場合には、その位置の設定値に対応するように第２のスライス画像を第１のスライス画像に重畳させる位置を設定する。
【００３３】
操作部３２５は、たとえば、キーボード（ｋｅｙｂｏａｒｄ）、タッチパネル（ｔｏｕｃｈ ｐａｎｅｌ）、トラックボール（ｔｒａｃｋ ｂａｌｌ）、フットスイッチ（ｆｏｏｔ ｓｗｉｃｈ）、音声入力装置などの入力装置を含む。操作部３２５は、オペレータによって操作情報が入力され、その操作情報に基づいて制御部３２４に操作信号を出力する。
【００３４】
図１に示すように、操作部３２５は、第１透過度入力部３２５ａと、第２透過度入力部３２５ｂと、重畳位置入力部３２５ｃとを有する。
【００３５】
第１透過度入力部３２５ａは、表示部４１において第１のスライス画像を透過させて表示させる際の透過度の設定値が、オペレータによって入力される。第１透過度入力部３２５ａは、たとえば、キーボードを含むように構成されており、そのキーボードのキーをオペレータが選択的に押すことによって、その透過度の設定値が入力される。
【００３６】
第２透過度入力部３２５ｂは、表示部４１において第２のスライス画像を透過させて表示させる際の透過度の設定値が、オペレータによって入力される。第２透過度入力部３２５ｂは、たとえば、キーボードを含むように構成されており、そのキーボードのキーをオペレータが選択的に押すことによって、その透過度の設定値が入力される。
【００３７】
重畳位置入力部３２５ｃは、表示部４１において第２のスライス画像を第１のスライス画像に重畳させる位置の設定値がオペレータによって入力される。重畳位置入力部３２５ｃは、たとえば、ポインティングデバイスを含むように構成されており、そのポインティングデバイスでオペレータが、その重畳させる位置を選択することによって、その設定値が入力される。
【００３８】
表示部４１は、たとえば、平面な表示画面を有するＬＣＤ装置（図示なし）と、ＤＳＣ（Ｄｉｄｉｔａｌ Ｓｃａｎ Ｃｏｎｖｅｒｔｅｒ）とを含み、スライス画像生成部３２２により生成され、記憶部３２３に記憶された画像を表示する。表示部４１は、記憶部３２３によって記憶された複数のスライス画像を表示する。具体的には、表示部４１は、記憶部３２３に接続されており、制御部３２４からの指令に基づいて、記憶部３２３のシネメモリが記憶する各フレームのスライス画像のデータをＤＳＣにより表示信号に変換し、ＬＣＤ装置の表示面にスライス画像として表示する。また、表示部４１は、記憶部３２３のＨＤＤに接続されており、オペレータにより操作部３２５に入力される指令に基づいて、ＨＤＤが記憶した画像のデータを受けて、その画像を画面に表示する。
【００３９】
本実施形態においては、表示部４１は、スライス画像生成部３２２によって生成された被検体についての第１のスライス画像に、スライス画像生成部３２２によって生成された被検体についての第２のスライス画像を重畳させて表示画面に表示する。たとえば、表示部４１は、被検体の患部についての過去のスライス画像である第１のスライス画像に、その患部についての新たなスライス画像である第２のスライス画像を重畳して表示する。
【００４０】
ここでは、表示部４１は、第１透過度設定部３２４ａによって設定された透過度に対応するように、その第１のスライス画像を透過させて表示させると共に、第２透過度設定部３２４ｂによって設定された透過度に対応するように、その第２のスライス画像を透過させて表示する。具体的には、第１透過度設定部３２４ａが０％の透過度を設定した場合においては、表示部４１は、０％の透過度で第１のスライス画像を透過させて表示させる。また、第２透過度設定部３２４ｂが５０％の透過度を設定した場合においては、表示部４１は、５０％の透過度で第２のスライス画像を透過させて表示させる。
【００４１】
そして、表示部４１は、重畳位置設定部３２４ｃによって設定された位置に対応するように、第２のスライス画像を第１のスライス画像に重畳して表示する。具体的には、重畳位置設定部３２４ｃが第２のスライス画像の中心が第１のスライス画像の中心に対して所定距離を隔てるように、その重畳させる位置を設定した場合においては、第２のスライス画像の中心を第１のスライス画像の中心から所定距離を隔てて表示する。
【００４２】
以下、課題を解決する発明の実施形態１における超音波診断装置１の動作について、説明する。
【００４３】
図２は、課題を解決する発明の実施形態１において、超音波診断装置１の動作を示すフロー図である。また、図３は、課題を解決する発明の実施形態１において、超音波診断装置１の動作の様子を示す図である。なお、説明を明瞭にするために、図３においては、スライス画像を簡略化して記載している。
【００４４】
図２に示すように、まず、第１のスライス画像Ｓ１と第２のスライス画像Ｓ２とを透過して表示させる際のそれぞれの透過度を入力する（Ｓ１１）。
【００４５】
ここでは、図３の（ａ１）に示すように、表示部４１の表示画面において第１のスライス画像Ｓ１を透過させて表示させる際の透過度の設定値が、オペレータによって第１透過度入力部３２５ａに入力される。そして、図３の（ａ２）に示すように、表示部４１の表示画面において第２のスライス画像Ｓ２を透過させて表示させる際の透過度の設定値が、オペレータによって第２透過度入力部３２５ｂに入力される。
【００４６】
本実施形態においては、被検体の患部について過去に生成された第１のスライス画像Ｓ１と、その被検体の同じ患部について新たに生成された第２のスライス画像Ｓ２とのそれぞれを透過させて表示させる際の透過度の設定値が、オペレータによってそれぞれ入力される。たとえば、キーボードのキーをオペレータが選択的に押すことによって、第１透過度入力部３２５ａに透過度の設定値として０％が入力されると共に、第２透過度入力部３２５ｂに透過度の設定値として５０％が入力される。
【００４７】
つぎに、図２に示すように、第１のスライス画像Ｓ１と第２のスライス画像Ｓ２とを透過して表示させる際のそれぞれの透過度を設定する（Ｓ２１）。
【００４８】
ここでは、前述の第１透過度入力部３２５ａに入力された透過度の設定値に対応するように、その第１のスライス画像Ｓ１を透過させて表示させる際の透過度を、第１透過度設定部３２４ａが設定する。また、前述の第２透過度入力部３２５ｂに入力された透過度の設定値に対応するように、その第２のスライス画像Ｓ２を透過させて表示させる際の透過度を、第２透過度設定部３２４ｂが設定する。たとえば、第１透過度入力部３２５ａに入力された透過度の設定値に対応するように、第１透過度設定部３２４ａが透過度を０％に設定する。また、同様に、第２透過度入力部３２５ｂに入力された透過度の設定値に対応するように、第２透過度設定部３２４ｂが透過度を５０％に設定する。
【００４９】
つぎに、図２に示すように、第２のスライス画像Ｓ２を第１のスライス画像Ｓ１に重畳させる位置を入力する（Ｓ３１）。
【００５０】
ここでは、表示部４１の表示画面において第２のスライス画像Ｓ２を第１のスライス画像Ｓ１に重畳させる位置の設定値が、オペレータによって重畳位置入力部３２５ｃに入力される。具体的には、ポインティングデバイスを用いてオペレータが、その重畳させる位置を選択することによって、その重畳させる位置の設定値が重畳位置入力部３２５ｃに入力される。たとえば、第２のスライス画像Ｓ２の中心が第１のスライス画像Ｓ１の中心に対して所定距離を隔てるように、第２のスライス画像Ｓ２をポインティングデバイスで選択して移動することにより、その重畳させる位置の設定値が、重畳位置入力部３２５ｃに入力される。
【００５１】
つぎに、図２に示すように、第２のスライス画像Ｓ２を第１のスライス画像Ｓ１に重畳させる位置を設定する（Ｓ４１）。
【００５２】
ここでは、前述の重畳位置入力部３２５ｃに入力された位置の設定値に対応するように、表示部４１の表示画面において第２のスライス画像Ｓ２を第１のスライス画像Ｓ１に重畳させる位置を、重畳位置設定部３２４ｃが設定する。たとえば、前述の重畳位置入力部３２５ｃに入力された位置の設定値に基づいて、第２のスライス画像Ｓ２の中心が第１のスライス画像Ｓ１の中心に対して所定距離を隔てるように、第２のスライス画像Ｓ２を第１のスライス画像Ｓ１に重畳させる位置を、重畳位置設定部３２４ｃが設定する。
【００５３】
つぎに、図２に示すように、第１スライス画像Ｓ１と第２のスライス画像Ｓ２とを、表示画面に表示する（Ｓ５１）。
【００５４】
ここでは、第１のスライス画像Ｓ１に第２のスライス画像Ｓ２を重畳させて表示部４１が表示画面に表示する。たとえば、被検体の患部についての過去に生成された第１のスライス画像Ｓ１に、その患部についての新たに生成された第２のスライス画像Ｓ２を重畳して表示する。
【００５５】
具体的には、図３（ｂ）に示すように、第１透過度設定部３２４ａによって設定された透過度と、第２透過度設定部３２４ｂによって設定された透過度とのそれぞれに対応するように、第１のスライス画像Ｓ１と第２のスライス画像Ｓ２とのそれぞれを、表示部４１が透過させて表示する。たとえば、０％の透過度で第１のスライス画像を透過させて表示させ、５０％の透過度で第２のスライス画像を透過させて表示させる。つまり、第２のスライス画像Ｓ２の画素値が５０％になるように表示すると共に、表示画面において第２のスライス画像Ｓ２より後方に重なるように位置する画素については、その第１のスライス画像の画素値の５０％を透過して表示する。すなわち、表示画面において第１のスライス画像Ｓ１と第２のスライス画像Ｓ２とが重畳された画素については、第１のスライス画像Ｓ１における５０％の画素値と、第２のスライス画像Ｓ２における５０％の画素値とを加算した画素値で表示を実施する。
【００５６】
また、図３（ｂ）に示すように、重畳位置設定部３２４ｃによって設定された位置に対応するように、表示部４１が第２のスライス画像Ｓ２を第１のスライス画像Ｓ１に重畳して表示する。たとえば、第２のスライス画像Ｓ２の中心座標（ｘ２，ｙ２）が第１のスライス画像Ｓ１の中心座標（ｘ１，ｙ１）に対して所定距離Ｄを隔てるように表示する。つまり、第２のスライス画像Ｓ２の中心座標（ｘ２，ｙ２）が、第１のスライス画像Ｓ１の中心座標（ｘ１，ｙ１）と異なるように、第２のスライス画像Ｓ２を第１のスライス画像Ｓ１に重畳させて表示する。
【００５７】
以上のように、本実施形態においては、表示部４１は、第１透過度設定部３２４ａによって設定された透過度に対応するように、第１のスライス画像Ｓ１を透過させて表示させると共に、第２透過度設定部３２４ｂによって設定された透過度に対応するように、第２のスライス画像Ｓ２を透過させて表示する。また、表示部４１は、重畳位置設定部３２４ｃによって設定された位置に対応するように、第２のスライス画像Ｓ２を第１のスライス画像Ｓ１に重畳して表示する。たとえば、被検体の患部について過去に生成された第１のスライス画像Ｓ１と、その被検体の患部について新たに生成された第２のスライス画像Ｓ２とを、互いに重ねて透過表示する。
【００５８】
このため、本実施形態は、複数のスライス画像Ｓ１，Ｓ２を比較する場合において、その比較する部分を表示画面にて近接させて表示することができる。したがって、比較する部分を把握することが容易であり、診断を迅速に行うことができる。よって、本実施形態は、高い診断効率を実現することができる。
【００５９】
＜実施形態２＞
以下、課題を解決する発明の実施形態２について説明する。
【００６０】
図４は、課題を解決する発明の実施形態２において、超音波診断装置１の動作を示すフロー図である。また、図５は、課題を解決する発明の実施形態２において、超音波診断装置１の動作の様子を示す図である。
【００６１】
本実施形態は、実施形態１に対して、超音波診断装置１の動作が異なる。この点を除き、実施形態１と同様である。このため、重複する個所については、説明を省略する。
【００６２】
図４に示すように、実施形態１と同様に、第１のスライス画像Ｓ１と第２のスライス画像Ｓ２とを透過して表示させる際のそれぞれの透過度を入力した後に（Ｓ１１）、第１のスライス画像Ｓ１と第２のスライス画像Ｓ２とを透過して表示させる際のそれぞれの透過度を設定する（Ｓ２１）。
【００６３】
ここでは、図５の（ａ１）に示すように、実施形態１同様に、表示部４１の表示画面において第１のスライス画像Ｓ１を透過させて表示させる際の透過度の設定値が、オペレータによって第１透過度入力部３２５ａに入力され、第１透過度設定部３２４ａによって設定される。そして、図５の（ａ２）に示すように、表示部４１の表示画面において第２のスライス画像Ｓ２を透過させて表示させる際の透過度の設定値が、オペレータによって第２透過度入力部３２５ｂに入力され、第２透過度設定部３２４ｂによって設定される。
【００６４】
そして、実施形態１と同様に、第２のスライス画像Ｓ２を第１のスライス画像Ｓ１に重畳させる位置を入力した後に（Ｓ３１）、第２のスライス画像Ｓ２を第１のスライス画像Ｓ１に重畳させる位置を設定する（Ｓ４１）。
【００６５】
本実施形態においては、重畳位置入力部３２５ｃに入力された位置の設定値に基づいて、第２のスライス画像Ｓ２の中心が第１のスライス画像Ｓ１の中心に対して所定距離を隔てることなく、第２のスライス画像Ｓ２の中心が第１のスライス画像Ｓ１の中心と同じ位置になるように、第２のスライス画像Ｓ２を第１のスライス画像Ｓ１に重畳させる位置を、重畳位置設定部３２４ｃが設定する。
【００６６】
つぎに、図４に示すように、第１のスライス画像Ｓ１と第２のスライス画像Ｓ２とを、互いが異なる色彩になるように変換する（Ｓ５０）。
【００６７】
ここでは、第１のスライス画像Ｓ１と第２のスライス画像Ｓ２とを、互いが異なる色彩になるように、表示部４１が変換する。
【００６８】
具体的には、第１のスライス画像Ｓ１と第２のスライス画像Ｓ２との間において、色相と明度と彩度の少なくとも１つが異なるように、表示部４１が第１のスライス画像Ｓ１と第２のスライス画像Ｓ２との少なくとも一方の画素のデータを変換する。たとえば、第１のスライス画像Ｓ１と第２のスライス画像Ｓ２との間において色相が異なるように、第１のスライス画像Ｓ１を黒で示すと共に、第２のスライス画像Ｓ２を青で示すように変換する。
【００６９】
つぎに、図４に示すように、実施形態１と同様に、第１スライス画像Ｓ１と第２のスライス画像Ｓ２とを、表示画面に表示する（Ｓ５１）。
【００７０】
ここでは、実施形態１と同様に、第１透過度設定部３２４ａによって設定された透過度と、第２透過度設定部３２４ｂによって設定された透過度とのそれぞれに対応するように、第１のスライス画像Ｓ１と第２のスライス画像Ｓ２とのそれぞれを表示部４１が透過させて表示する。この時、図５（ｂ）に示すように、第１のスライス画像Ｓ１と第２のスライス画像Ｓ２とを、互いが異なる色彩で表示部４１が表示する。たとえば、第１のスライス画像Ｓ１を黒で表示すると共に、第２のスライス画像Ｓ２を青で表示する。
【００７１】
また、図５（ｂ）に示すように、重畳位置設定部３２４ｃによって設定された位置に対応するように、表示部４１が第２のスライス画像Ｓ２を第１のスライス画像Ｓ１に重畳して表示する。たとえば、第２のスライス画像Ｓ２の中心が第１のスライス画像Ｓ１の中心と同じ位置になるように表示する。
【００７２】
以上のように、本実施形態においては、表示部４１は、実施形態１と同様に、被検体の患部について過去に生成された第１のスライス画像Ｓ１と、その被検体の患部について新たに生成された第２のスライス画像Ｓ２とを、互いに重ねて透過表示する。ここでは、第１のスライス画像Ｓ１と第２のスライス画像Ｓ２とを、互いが異なる色彩で表示する。
【００７３】
このため、本実施形態は、複数のスライス画像を比較する場合において、その比較する部分を容易に識別できるため、診断を迅速に行うことができる。よって、本実施形態は、高い診断効率を実現することができる。
【００７４】
＜実施形態３＞
以下、課題を解決する発明の実施形態３について説明する。
【００７５】
図６は、課題を解決する発明の実施形態３において、超音波診断装置１ａの構成を示すブロック図である。
【００７６】
図６に示すように、本実施形態の超音波診断装置１ａは、実施形態１と異なり、操作コンソール３２に被検体特性画像生成部３２６が設けられ、その操作コンソール３２の操作部３２５に被検体特性情報入力部３２５ｄが設けられている。本実施形態は、この点を除き、実施形態１と同様である。このため、重複する個所については、説明を省略する。
【００７７】
被検体特性情報入力部３２５ｄは、オペレータによって被検体の特性に関する特性情報が入力される。被検体特性情報入力部３２５ｄは、たとえば、キーボードを含むように構成されており、そのキーボードのキーをオペレータが選択的に押すことによって、その被検体についての特性情報が入力される。たとえば、名前、性別、診断レポートなどの被検体の特性を示す特性情報が入力される。
【００７８】
被検体特性画像生成部３２６は、被検体特性情報入力部３２５ｄに入力された特性情報に基づいて、その被検体の特性を示す被検体特性画像を生成する。たとえば、名前、性別などの被検体の特性を文字で示すように、被検体特性画像を生成する。そして、被検体特性画像生成部３２６は、記憶部３２３に接続されており、その生成した被検体特性画像を記憶部３２３に出力する。
【００７９】
そして、本実施形態において、表示部４１は、被検体特性画像生成部３２６によって生成された被検体特性画像のデータを、記憶部３２３から受けて表示を行う。たとえば、表示部４１は、スライス画像生成部３２３によって生成されたスライス画像に重畳するように、その被検体特性画像を表示する。
【００８０】
図７は、課題を解決する発明の実施形態３において、表示部４１が表示する画像を示す図である。
【００８１】
図７に示すように、本実施形態においては、実施形態１と同様に、被検体の患部について過去に生成された第１のスライス画像Ｓ１と、その被検体の患部について新たに生成された第２のスライス画像Ｓ２とに重畳するように、上記のようにして生成された被検体特性画像Ｓ３を、表示部４１が表示画面に表示する。つまり、表示部４１は、実施形態１と同様に、第１のスライス画像Ｓ１と第２のスライス画像Ｓ２とを、設定された透過度と、その重畳させる位置とに対応するように表示すると共に、被検体特性画像Ｓ３について設定された透過度と、その重畳させる位置とに対応するように、被検体特性画像Ｓ３を表示する。たとえば、被検体特性画像Ｓ３の中心座標（ｘ３，ｙ３）が、第１のスライス画像Ｓ１の中心座標（ｘ１，ｙ１）と異なるように、被検体特性画像Ｓ３を第１のスライス画像Ｓ１に重畳させて表示する。
【００８２】
以上のように、本実施形態においては、表示部４１は、実施形態１と同様に、被検体の患部について過去に生成された第１のスライス画像Ｓ１と、その被検体の患部について新たに生成された第２のスライス画像Ｓ２とを、互いに重ねて透過表示する。そして、その第１のスライス画像Ｓ１と第２のスライス画像Ｓ２とに重畳するように、被検体特性画像Ｓ３を、表示部４１が表示画面に表示する。
【００８３】
このように、本実施形態は、被検体特性画像Ｓ３を、第１のスライス画像Ｓ１と第２のスライス画像Ｓ２とに重畳させて表示画面に表示するために、第１のスライス画像Ｓ１と第２のスライス画像Ｓ２とを大きく表示することができると共に、被検体特性画像Ｓ３によって被検体の特性を容易に把握することができる。このため、本実施形態は、被検体の特性を容易に把握できるため、診断を迅速に行うことができる。よって、本実施形態は、高い診断効率を実現することができる。
【００８４】
また、本発明の実施に際しては、上記した実施の形態に限定されるものではなく、種々の変形形態を採用することができる。
【００８５】
たとえば、上記の実施形態においては、被検体の患部について過去に生成された第１のスライス画像Ｓ１と、その被検体の患部について新たに生成された第２のスライス画像Ｓ２とを、互いに重ねて透過表示する場合について説明したが、これに限定されない。たとえば、超音波プローブ３１が、被検体として第１の被検体についてのスキャンを実施することによって第３のエコー信号を取得すると共に、その第１の被検体と異なる第２の被検体についてのスキャンを実施することにより第４のエコー信号を取得した後に、スライス画像生成部３２２が、その第３のエコー信号に基づいて、第１の被検体についての第３のスライス画像を生成すると共に、その第４のエコー信号に基づいて、第２の被検体についての第４のスライス画像を生成した場合においては、たとえば、表示部４１は、その第１の被検体についての第３のスライス画像に、第２の被検体についての第４のスライス画像を重畳して表示してもよい。具体的には、第１の被検体において患部に対応する撮影領域ついて撮像された第１のスライス画像と、その第１の被検体と異なる第２の被検体において、その患部に対応する撮影領域について撮像されたスライス画像とのそれぞれを、表示画面に重畳させて表示する場合に適用してもよい。
【００８６】
また、上記の実施形態においては、画像診断装置として、超音波診断装置の場合について説明したが、これに限定されない。たとえば、被検体へ放射線を照射し、その被検体を透過した放射線を検出するスキャンを実施することによって得られる投影データをローデータとして取得するスキャン部を有し、その投影データに基づいて、被検体のスライス画像を画像再構成する画像診断装置に適用してもよい。つまり、たとえば、Ｘ線ＣＴ装置などの放射線撮影装置に適用してもよい。
【００８７】
また、その他に、静磁場空間において被検体にＲＦパルスを送信し、その被検体において発生する磁気共鳴信号を、ローデータとして取得するスキャン部を有し、その磁気共鳴信号に基づいて、被検体のスライス画像を画像再構成する磁気共鳴イメージング装置のような画像診断装置に適用してもよい。
【００８８】
また、上記の実施形態においては、２枚のスライス画像を互いに重畳させて表示する場合と、その２枚のスライス画像に１枚の被検体特性画像を重畳させて表示する場合について説明したが、これに限定されない。たとえば、３枚以上のスライス画像を互いに重畳させて表示する場合や、２枚以上の被検体特性画像を重畳させて表示する場合など、任意の数の画像を重畳させて表示する場合について適用可能である。
【００８９】
また、上記の実施形態において、被検体についての第１のスライス画像に、被検体についての第２のスライス画像を重畳させて表示画面に表示する場合においては、表示部は、オペレータからの指示に基づいて、第１のスライス画像に対して第２のスライス画像を少しずつ移動させて表示しても良い。このように徐々に重ねて表示することにより、相違点を容易に確かめることができる。
【００９０】
また、上記の実施形態において、被検体についての第１のスライス画像に、被検体についての第２のスライス画像を重畳させて表示画面に表示する場合においては、表示部は、第１画像から第２画像がめくれるように表示しても良い。つまり、第２画像の端部が第１画像から巻いて上がるように表示画面に表示しても良い。
【符号の説明】
【００９１】
１，１ａ…超音波診断装置
３１…超音波プローブ
３２…操作コンソール
４１…表示部
３２１…送受信部
３２２…スライス画像生成部
３２３…記憶部
３２４…制御部
３２５…操作部
３２４ａ…第１透過度設定部
３２４ｂ…第２透過度設定部
３２４ｃ…重畳位置設定部
３２５ａ…第１透過度入力部
３２５ｂ…第２透過度入力部
３２５ｃ…重畳位置入力部
３２５ｄ…被検体特性情報入力部
３２６…被検体特性画像生成部
【図１】
2011104452.tif 000003
【図２】
2011104452.tif 000004
【図４】
2011104452.tif 000005
【図５】
2011104452.tif 000006
【図６】
2011104452.tif 000007
【図３】
2011104452.tif 000008
【図７】
2011104452.tif 000009